(57)【要約】      （修正有）【課題】旅行かばんに取付けたスライドファスナーの引手片をワンタッチで確実に施錠するファスナー用施錠装置を提供する。【解決手段】旅行かばんを開閉するスライドファスナーに取付けたスライダーの引手片５をロック・アンロックする引手片ロック錠１２と、引手片ロック錠を開閉する錠前手段を備えた施錠装置１０において、引手片ロック錠１２は、スライダーの引手片に設けた雄軸部１５と、ケース蓋体２０に内蔵した雌受部３０とからなり、錠前手段は、雌受部３０を開錠操作する操作片４７の動作をロック・アンロックするロック軸を有し、そのロック軸をダイヤル錠５５とシリンダ錠７５とでロック・アンロックするように構成されている。【選択図】図２
0003194062.tif 000002
【実用新案登録請求の範囲】
【請求項１】
旅行かばん（１）を開閉するスライドファスナー（３）に取付けたスライダー（４）の引手片（５）をロック・アンロックする引手片ロック錠（１２）と、該引手片ロック錠を開閉する錠前手段（Ｓ）を備えた施錠装置（１０）において、
前記引手片ロック錠（１２）は、前記スライダー（４）の引手片（５）に設けた雄軸部（１５）と、ケース蓋体（２０）に内蔵した雌受部（３０）とからなり、
前記雌受部（３０）を開錠操作する操作片（４７）の動作をロック・アンロックするロック軸（６８）と、該ロック軸をロック・アンロックする前記錠前手段（Ｓ）とからなることを特徴とする旅行かばんのファスナー用施錠装置。
【請求項２】
前記引手片（５）に設けた雄軸部（１５）は、引手片（５）の先端下部に円柱状の首部（１７）と、該首部の下方に半球状の押圧頭部（１８）をそれぞれ一体に設けてなることを特徴とする請求項１記載の旅行かばんのファスナー用施錠装置。
【請求項３】
前記ケース蓋体（２０）に内蔵した雌受部（３０）は、前記引手片（５）の雄軸部（１５）を挿通する挿通口（２２）の内側に形成した収容室（２３）に、前記雄軸部（１５）の首部（１７）をロックする可動片（３１）と、該可動片を付勢するばね（３７）を収容し、前記雄軸部（１５）の押圧頭部（１８）と垂直方向に当接する可動筒（４０）を付勢させてなることを特徴とする請求項１記載の旅行かばんのファスナー用施錠装置。
【請求項４】
前記雌受部（３０）の可動片（３１）は、前記雄軸部（１５）の首部（１７）を挟持するロック部（３２）と、該ロック部の上方に雄軸部（１５）の押圧頭部（１８）と当接する斜面部（３３）と、前記操作片（４７）の操作により前記可動片（３１）を摺動させる可動軸部（３５）をそれぞれ一体に設けてなることを特徴とする請求項３記載の旅行かばんのファスナー用施錠装置。
【請求項５】
前記施錠手段（Ｓ）はダイヤル錠（５５）で、ケース本体（１１）に０〜９までの数字を有した複数のダイヤル円盤（５７）と切欠部（５９）をそれぞれ有した複数のカム円盤（５８）を同軸で回転可能に軸支し、前記ダイヤル円盤（５７）をそれぞれ回動させてカム円盤（５８）の切欠部（５９）とスライド板（６１）に設けた係止爪部（６２）とを合致させてスライド板（６１）を摺動可能にし、該スライド板の摺動により前記ロック軸（６８）を回動させて操作片（４７）をアンロックすることにより引手片ロック錠（１２）を開錠可能に形成してなることを特徴とする請求項１記載の旅行かばんのファスナー用施錠装置。
【請求項６】
前記施錠手段（Ｓ）はシリンダ錠（７５）で、キーを鍵穴（７７）に差し込みシリンダ本体（７６）を回動させることにより、シリンダ本体（７６）の軸心方向と遠心方向に取付けたシリンダ枝部（７８）でロック軸（６８）の第２作動枝部（７１）を回動させ、操作片（４７）をアンロックして引手片ロック錠（１２）を開錠可能にしてなることを特徴とする請求項１記載の旅行かばんのファスナー用施錠装置。
【請求項７】
前記ロック軸（６８）は、前記雌受部（３０）を作動させる操作片（４７）をロック・アンロックするロック枝部（６９）と、前記ダイヤル錠（５５）のスライド板（６１）の移動によりロック軸（６８）を回動させる第１作動枝部（７０）と、シリンダ錠（７５）のシリンダ枝部（７８）の回動によりロック軸（６８）を回動させる第２作動枝部（７１）を軸心方向から遠心方向にそれぞれ設けてなることを特徴とする請求項１記載の旅行かばんのファスナー用施錠装置。
【考案の詳細な説明】
【技術分野】
【０００１】
本考案は、旅行かばん、スーツケースなどの開閉に使用されるスライドファスナーのスライダーを操作する引手片をロック・アンロックする施錠装置の改良に関する。
【背景技術】
【０００２】
従来、大型の旅行かばん、特に合成繊維材または合成樹脂材からなるかばん本体と蓋体とをスライドファスナーで開閉可能に形成した旅行かばんは、前記スライドファスナーのスライダーを操作する引手片をロック・アンロックすることにより、無断開蓋を防止する施錠装置が取付けられている。
【０００３】
前記旅行かばんに取付けられている施錠装置の多くは、複数の数字を組み合わせてロック・アンロックするダイヤル式錠や、鍵によりロック・アンロックするシリンダー式錠などが知られている（例えば、特許文献１、２）。
【先行技術文献】
【特許文献】
【０００４】
【特許文献１】実用第３０６０２１３号
【特許文献２】実用第３１３３８７９号
【０００５】
また、昨今の海外旅行用のかばん、特にアメリカ圏を旅行する旅行者のかばんには、ＴＳＡ錠の取付けが義務付けられている。ＴＳＡ錠とは、アメリカ運輸保安局（Transportation Security Administration）が治安維持のために係官が保有する鍵で旅行かばんを開閉可能にしてある。アメリカは、貿易センタービルへの多発テロ後、爆発物および危険物の持ち込みを防止するためにアメリカ国内の全ての空港で、アメリカへの出入国とアメリカ国内のフライトに際して税関で、旅行かばんを開けて内容物を確認検査できるようにしてある。
【０００６】
したがって、海外旅行用のかばんは、前記ＴＳＡ鍵で開錠できるシリンダ型の施錠装置の他、安全のためスライドファスナーのスライダーを操作する引手片をロックするロック錠または二重にしたシリンダー錠、さらには引手片ロック錠とシリンダー錠を併用した施錠装置などが取付けられている。
【０００７】
特にダイヤル式施錠装置は、それぞれ表面に小さく０〜９までの数字を表記した複数のダイヤル円盤にロック溝を有した切欠輪をそれぞれ同軸に取付け、前記切欠輪のロック溝と嵌合する係止爪部を有したスライドシャフトを作動させることによりロックまたはアンロックさせてスライダーの引手片をロック・アンロック可能に形成してある。
【０００８】
しかし、前記旅行かばんに取付けられているスライドファスナーの引手片は指で掴みやすくするため薄幅の板状に形成されている。一方、ケース本体に設けた嵌合溝には、引手片の押圧力により進退動させて引手片をロックする係止爪部が取付けられている。施錠は引手片を嵌合溝に挿入して係止爪片を上方から押圧して後退させながら押し込むと、引手片の嵌合孔に合致する位置で係止爪片がばねの反発力で嵌合孔に挿通してロックする。開錠は、ケース本体内に設けたスライドシャフトを操作して係止爪片を引手片の嵌合孔から離脱させることにより、アンロックすることができる。
【０００９】
しかし、引手片の先端で係止溝部に位置した係止爪片を上方から押圧したとき、引手片の幅が薄いことから、該引手片を上方から押し込むと、引手片の挿入角度や押圧位置またはタイミングが合わないと、係止爪片が引っ掛かってスムースに後退せずにロックできない状態になりやすい。そのため、係止爪片を再度上方から強く押し込むか、またはやり直さなければならず、スムースに引手片をロックすることができなかったという問題点を有している。
【考案の概要】
【考案が解決しようとする課題】
【００１０】
そこで本考案が解決しようとする課題は、旅行かばんのスライドファスナーを開閉するスライダーに取付けた引手片に雄軸部を設け、該雄軸部をケース蓋体に設けた雌受部に着脱可能に係止させることにより、押し込む角度や位置やタイミングに関係なく、簡単で確実にロックすることができるロック錠と、該ロック錠をさらにロック・アンロックする錠前手段を備えたことにより、施錠装置の不正開錠を防止することを目的とする。
【課題を解決するための手段】
【００１１】
本考案は、旅行かばん１を開閉するスライドファスナー３に取付けたスライダー４の引手片５をロック・アンロックする引手片ロック錠１２と、該引手片ロック錠を開閉する錠前手段Ｓを備えた施錠装置１０において、前記引手片ロック錠１２は、前記スライダー４の引手片５に設けた雄軸部１５と、ケース蓋体２０に内蔵した雌受部３０とからなり、前記雌受部３０を開錠操作する操作片４７の動作をロック・アンロックするロック軸６８と、該ロック軸をロック・アンロックする前記錠前手段Ｓとからなることを特徴とする。また、前記引手片５に設けた雄軸部１５は、引手片５の先端下部に円柱状の首部１７と、該首部の下方に半球状の押圧頭部１８をそれぞれ一体に設けてなることを特徴とする。さらに、前記ケース蓋体２０に内蔵した雌受部３０は、前記引手片５の雄軸部１５を挿通する挿通口２２の内側に形成した収容室２３に、前記雄軸部１５の首部１７をロックする可動片３１と、該可動片を付勢するばね３７を収容し、前記雄軸部１５の押圧頭部１８と垂直方向に当接する可動筒４０を付勢させてなることを特徴とする。さらにはまた、前記雌受部３０の可動片３１は、前記雄軸部１５の首部１７を挟持するロック部３２と、該ロック部の上方に雄軸部１５の押圧頭部１８と当接する斜面部３３と、前記操作片４７の操作により前記可動片３１を摺動させる可動軸部３５をそれぞれ一体に設けてなることを特徴とする、また、前記施錠手段Ｓはダイヤル錠５５で、ケース本体１１に０〜９までの数字を有した複数のダイヤル円盤５７と切欠部５９をそれぞれ有した複数のカム円盤５８を同軸で回転可能に軸支し、前記ダイヤル円盤５７をそれぞれ回動させてカム円盤５８の切欠部５９とスライド板６１に設けた係止爪部６２とを合致させてスライド板６１を摺動可能にし、該スライド板の摺動により前記ロック軸６８を回動させて操作片４７をアンロックすることにより、引手片ロック錠１２を開錠可能に形成してなることを特徴とする。さらに、前記施錠手段Ｓはシリンダ錠７５で、キーを鍵穴７７に差し込みシリンダ本体７６を回動させることにより、シリンダ本体７６の軸心方向と遠心方向に取付けたシリンダ枝部７８でロック軸６８の第２作動枝部７１を回動させ、操作片４７をアンロックして引手片ロック錠１２を開錠可能にしてなることを特徴とする。さらにはまた、前記ロック軸６８は、前記雌受部３０を作動させる操作片４７をロック・アンロックするロック枝部６９と、前記ダイヤル錠５５のスライド板６１の移動によりロック軸６８を回動させる第１作動枝部７０と、シリンダ錠７５のシリンダ枝部７８の回動によりロック軸６８を回動させる第２作動枝部７１を軸心方向から遠心方向にそれぞれ設けてなることを特徴とする。
【００１２】
したがって、旅行かばん１を構成するスライドファスナー３のスライダー４に取付けた引手片５をロック・アンロックする施錠装置１０は、引手片５に設けた雄軸部１５の半球状に形成した押圧頭部１８でケース蓋体２０に設けた雌受部３０の作動片３１を押圧して施錠する引手片ロック錠１２を設けたことにより、引手片５が雌受部３０の作動片３１に引っ掛かることなく確実にワンタッチで施錠することができる。また、前記引手片ロック錠１２を開錠する錠前手段Ｓを、全く相違する構成のダイヤル錠５５またはシリンダ錠７５で開錠可能に形成したことにより不正開錠を防止することができる。さらに、施錠装置１０に引手片ロック錠１２を開錠するためのダイヤル錠５５とシリンダ錠７５の両方を取付けることにより、ダイヤル錠５５が閉錠状態でも、シリンダ錠７５にＴＳＡ鍵を差し込んで回動させることにより開錠することができるので海外旅行用の旅行かばんとして最適である。  
【図面の簡単な説明】
【００１３】
【図１】本考案にかかる施錠装置を取付けた旅行かばんの一部破断した平面図である。
【図２】施錠装置の拡大平面図である。
【図３】引手片に取付けた雄軸部の側面図である。
【図４】雄軸部の正面図である。
【図５】施錠装置のロック状態を示すケース本体を除いた底面図である。
【図６】雌受部の要部拡大断面図である。
【図７】雌受部を構成する可動片の拡大斜視図である。
【図８】操作片に可動片を取付けた側面図である。
【図９】操作片に可動片を取付けた底面図である。
【図１０】雄軸部と雌受部を示す要部拡大斜視図である。
【図１１】（ａ）雌受部に雄軸部を挿入する前状態を示す断面図である。（ｂ）雌受部に雄軸部を挿入して作動片を後退させた状態を示す断面図である。（ｃ）雄軸部を雌受部でロックした状態を示す断面図である。
【図１２】施錠装置のアンロック状態を示すケース本体を除いた底面図である。
【図１３】シリンダ錠の作動状態を示す裏面図である。
【考案を実施するための形態】
【００１４】
本考案の実施の形態を図面に基づいて説明すると、図１は本考案にかかる施錠装置を取付けた旅行かばんの一部破断した平面図、図２は施錠装置の拡大平面図、図３は引手片に取付けた雄軸部の側面図、図４は雄軸部の正面図、図５は施錠装置のロック状態を示すケース本体を除いた底面図、図６は雌受部の要部拡大断面図、図７は雌受部を構成する可動片の拡大斜視図、図８は操作片に作動片を取付けた側面図、図９は操作片に作動片を取付けた底面図、図１０はロック機構の雄軸部と雌受部を示す要部拡大斜視図である。旅行かばん１は、合成繊維材または合成樹脂材からなり、荷物を収納するかばん本体２と蓋体７とをスライドファスナー３で開閉可能に形成してある。
【００１５】
前記スライドファスナー３は、かばん本体２に取付けた施錠装置１０にスライダー４の引手片５をロックまたはアンロックすることにより不正開錠を防止している。また、前記旅行かばん１のかばん本体２は、長手方向の一側面中央にかばんを持ち上げるための把手部６と、移動時にかばんを引張るための牽引ハンドル（図示せず）の二種類が取付けられ、底面の片側または四隅に移動用のキャスター（図示せず）が取付けられている。
【００１６】
前記施錠装置１０は、図１、２に示すごとく、ケース本体１１とケース蓋体２０とからなり、ケース蓋体２０の内部に引手片ロック錠１２と該引手片ロック錠を開錠するための錠前手段Ｓを取付けてある。
【００１７】
前記ケース蓋体２０は、表面に前記スライドファスナー３のスライダー４に取付けた一対の引手片５をそれぞれ挿入する一対の係止溝部２１と、該係止溝部の最深部で係止溝部と直角方向に開口した挿通孔２２と、前記錠前手段Ｓを構成するダイヤル錠５５のダイヤル円盤５７の一部５７ａ露出させて操作する操作凹部２８と、ダイヤル円盤５７の所定数字を表示する表示窓部２５を設けてある。前記表示窓部２５には、表示した数字を大きく拡大して表示する拡大鏡２６を取付けてもよい。
【００１８】
前記錠前手段Ｓは、複数のダイヤル円盤５７と切欠部５９をそれぞれ有した複数のカム円盤５８を同軸で回転可能に軸支し、前記ダイヤル円盤５７をそれぞれ回動させて開錠数字を揃えることにより開錠させるダイヤル錠５５と、シリンダ本体７６の鍵穴７７にキーを差し込んでシリンダ本体７６を回動させて開錠させるシリンダ錠７５とからなり、いずれの錠もロック軸６８を作動させて操作片４７をアンロックして引手片ロック錠１２を開錠させる。
【００１９】
図１０に示した引手片ロック錠１２は、ケース蓋体２０の係止溝部２１に挿通する一対の引手片５に設けた雄軸部１５と、該雄軸部をロック・アンロックするケース蓋体２０の挿通孔２２の一側に設けた収容室２３に収容した雌受部３０とからなる。
【００２０】
前記雄軸部１５は、スライドファスナー３の引手片５の先端下部に円柱状の首部１７と、該首部の下部に先端を半球状にした押圧頭部１８とを同一軸心上で一体に形成してある。また、前記雄軸部１５は、図３、４に示すごとく、引手片５の下部と首部１７との間に、前記ガイド溝２１内に挿通して引手片５のがたつきを防止するガイド軸部１６を設けて一体に形成してもよい。
【００２１】
前記雌受部３０は、図５〜９に示すごとく、収容室２３内に位置した可動片３１をばね３７で付勢させて係止溝部２１に設けた挿通孔２２の約半分を閉口可能に取付け、前記挿通孔２２の軸心方向に可動片３１の下面に当接する可動筒４０をばね４３で弾発させて取付けてある。
【００２２】
前記可動片３１は、図７に示すごとく、前記雄軸部１５の首部１７を嵌合して押圧頭部１８を係止させる中央を半月状に湾曲させたロック部３２と、表面側をロック部方向に湾曲させて傾斜させた斜面部３３と、前記挿通孔２２の約半分を可動片３１で閉口した位置で停止させる鍔部３４と、可動片３１を挿通孔２２方向に付勢させるばね３７と、雄軸部１５の首部１７をロックした作動片３１を操作片４７の操作に連動してアンロックさせるための可動軸部３５を作動片３１と平行でクランク型に折り曲げて一体に形成してある。
【００２３】
前記可動筒４０は、図６、１０に示すごとく、前記挿通孔２２と同一軸心上に位置し、筒状に形成した胴部４０ａの上端を前記雄軸部１５の押圧頭部１８が当たる平坦な当接部４１を形成し、下端周縁に鍔部４２を設けてなり、胴部４０ａの内部に一端を収容したばね４３の他端をケース本体１１の外側に突部させた筒受凹部４５に位置させて上下動可能に形成し、可動筒４０が雄軸部１５の押圧頭部１８に押圧されたとき筒受凹部４５に収納可能に形成してある。
【００２４】
図５に示すごとく、操作片４７は、前記引手片ロック錠１２と錠前手段Ｓとの間に介在し、ロック軸６８を介して連動させるもので、操作片４７の一側に設けた操作部４８をケース蓋体２０の表側に前後動可能に露出させ、操作軸部４９の先端をロック軸６８のロック枝部６９の先端に当接して操作片４７の進退動をロックしている。
【００２５】
前記操作片４７は、図８、９に示すごとく、操作部４８の一側に長尺な操作軸部４９と短尺なガイド軸部５３を平行に位置し、前記操作軸部４９の上面に前記可動片３１の可動軸部３５を支持する係止突部５０を設け、先端にロック軸６８のロック枝部６９と当接するロック部５１を設けてある。この操作片４７は、前記可動片３１のばね３７の反発力により、可動片３１のロック方向に付勢されている。
【００２６】
前記錠前手段Ｓはダイヤル錠５５で、図２、５に示すごとく、ケース蓋体２０の表面に各ダイヤル円盤５７に表記した０〜９までの数字で、開錠番号を表示する位置に表示窓部２５をそれぞれ設け、該表示窓部は当数字のみを表示して見やすく拡大表示する拡大レンズ２６を取付けてある。
【００２７】
この拡大レンズ２６は、倍率を少なくとも２倍以上の倍率に形成し、ガラス製または合成樹脂製で、好ましくは破損の心配がない合成樹脂製の凸レンズを取付けてある。合成樹脂製の凸レンズは、衝撃に強く、また耐久性を有することから、荷物として乱暴に取り扱うことが多い旅行かばん用としては最適である。
【００２８】
各ダイヤル円盤５７の操作は、ケース蓋体２０の操作凹部２８に露出させたダイヤル円盤５７の露出部５７ａを時計方向または反時計方向に回動させて表示窓部２５に該当する所定の数字を順次表示させて合致させることにより開錠することができる。
【００２９】
前記ダイヤル錠５５が開錠すると、カム円盤５８の切欠部５９とスライド板６１の係止爪部６２が合致してばね６５の弾発力でスライド板６１がロック軸６８方向に摺動してロック軸６８の第１作動片７０を反時計方向に回動させる。さらに、ロック軸６８が回動すると、操作片４７の操作軸部４９の先端を押さえていたロック枝部６９が回動して操作片４７をアンロックさせることができる。
【００３０】
操作片４７をアンロック状態にした後、操作片４７の操作部４８を操作して操作軸部４９をロック軸６８方向に押圧すると、作動軸部４９に係止してある雌受部３０の作動片３１が同時に摺動して雄軸部１５の押圧頭部１８から作動片３１が離脱して雄軸部１５をアンロックさせることができる。
【００３１】
ダイヤル錠５５による施錠は、図５に示すごとく、ダイヤル円盤５７と同軸で連動するカム円盤５８の切欠部５９とスライド板６１の係止爪部６２がそれぞれ合致した状態から、ダイヤル円盤５７を時計方向または反時計方向のいずれかに回動させると、カム円盤５８の切欠部５９からスライド板６１の係止爪部６２が押し出されながら回動してスライド板６１がばね６５の弾発力に抗して後退しながらカム円盤５８の外周部に係止爪部６２が当接することによりスライド板６１をロックする。
【００３２】
前記ロック軸６８は、図１２、１３に示すごとく、ロック方向にばね（図示せず）で付勢され、前記錠前手段Ｓであるダイヤル錠５５またはシリンダ錠７５のいずれかが開錠されて作動することにより回動し、前記操作片４７をアンロック可能に形成してある。このロック軸６８は、軸心方向と遠心方向に前記操作片４７をロックするロック枝部６９と、前記ダイヤル錠５５のスライド板６１の移動によりロック軸６８を回動させる第１作動枝部７０と、シリンダ錠７５のシリンダ枝部７８の回動によりロック軸６８を回動させる第２作動枝部７１をそれぞれ設けてある。
【００３３】
また、錠前手段Ｓがシリンダ錠７５の場合は、シリンダ本体７６に設けた鍵穴７７にキー（図示せず）を差し込みシリンダ本体７６を回動可能に形成し、該シリンダ本体の軸心方向と遠心方向に前記ロック軸６７の第２作動枝部７１を回動させるシリンダ枝部７８を設けてある。
【００３４】
このシリンダ錠７５の鍵穴７７は、自分のキーまたはＴＳＡ鍵の両方のキーで開錠可能に形成してある。開錠は、キーを鍵穴７７に差し込んでシリンダ本体７６を回動させることによりシリンダ枝部７８が回動してロック軸６８の第２作動枝部７１に当たり、該第２作動枝部を回動させることによりロック枝部６９を回動させて操作片４７をアンロックすることができる。
【００３５】
また、施錠装置１０が、ダイヤル錠５５とシリンダ錠７５を併用した錠前手段Ｓの場合、ダイヤル錠５５でロック軸６８をロックした状態でも、シリンダ錠７５に鍵を差し込んでシリンダ錠７５を開錠させることができる。
【００３６】
以下、本考案の実施の形態の作用について説明すると、スライドファスナー３で開閉する旅行かばん１に取付けた施錠装置１０は、ケース蓋体２０に収容した引手片ロック錠１２で引手片５をそれぞれロック・アンロックする。さらに、この引手片ロック錠１２を操作する操作片４７とロック軸６８をロック・アンロックする錠前手段Ｓとにより構成されている。
【００３７】
引手片ロック錠１２による引手片５のロックは、図１１（ａ）に示すごとく、雄軸部１５の押圧頭部１８を挿通孔２２の上方から挿入する。次いで、図１１（ｂ）に示すごとく、雄軸部１５の押圧頭部１８の先端で雌受部３０を構成する可動片３１の斜面部３３を押圧しながら進入すると、この可動片３１の斜面部３３は、表面が湾曲して傾斜しているため押圧力により、可動片３１は、ばね３７の弾発力に抗して後退しながら押圧頭部１８が進入入する。さらに図１１（ｃ）に示すごとく、雄軸部１５の押圧頭部１８を押し込み、可動片３１を後退させながら進入して押圧頭部１８がロック部３２を通過すると同時に首部１７がロック部３２に位置すると、可動片３１がばね３７の弾発力により前進して湾曲したロック部３２が首部１７に嵌合してロックすることができる。前記工程は、引手片５を挿通孔２２に押し込むだけの一工程で簡単に行うことができ、且つ、どこにも引っ掛からずにスムースに施錠することができる。
【００３８】
前記引手片ロック錠１２により施錠された引手片５のアンロックは、錠前手段Ｓであるダイヤル錠５５またはシリンダ錠７５で行う。ダイヤル錠５５による開錠は、ケース蓋体２０の操作凹部２８に露出させたダイヤル円盤５７の露出部５７ａを時計方向または反時計方向に回動させて表示窓部２５に所定の開錠数字を順次表示させて合致させることにより行う。
【００３９】
ダイヤル円盤５７の数字を合致させると、図１２に示すごとく、ダイヤル円盤５７と同軸で連動するカム円盤５８の切欠部５９にスライド板６１の係止爪部６２がそれぞれ合致してスライド板６１がばね６５の弾発力により摺動してロック軸６８の第１作動部７０を押圧回動させる。するとロック枝部６９が、操作片４７の操作軸部４９先端から外れて操作片４７を操作可能にすることができる。
【００４０】
操作片４７のロックが外れた後、操作部４８を矢印方向に摺動させると操作軸部４９に係止してある一対の作動片３１が同時に摺動して雄軸部１５の押圧頭部１８から可動片３１が外れると同時に、押圧頭部１８に押圧されていた可動筒４０がばね４３の弾発力で引手片５を挿通孔２２から飛び出させて離脱させることができる。操作片４７は、操作部４８を離すと可動片３１を付勢しているばね３７の弾発力により可動片３１と共に元の位置に復帰する。
【００４１】
ダイヤル錠５５の施錠は、ダイヤル円盤５７と同軸で連動するカム円盤５８の切欠部５９とスライド板６１の係止爪部６２がそれぞれ合致した状態から、ダイヤル円盤５７を時計方向または反時計方向のいずれかに回動させると、カム円盤５８の切欠部５９がスライド板６１の係止爪部６２を押し出しながら回動する。すると、スライド板６１はばね６５の弾発力に抗して切欠部５９から係止爪部６２が離脱しながら後退してカム円盤５８の外周部に係止爪部６２が当接することによりスライド板６１の摺動をロックする。
【００４２】
前記スライド板６１の押圧力が無くなるとロック軸６８はばねの反発力により元の位置に戻り、ロック枝部６９は操作片４７の先端を抑えたロック位置に移動することにより、ロック機構１３の作動をロック状態にして維持することができる。
【００４３】
錠前手段Ｓであるシリンダ錠７５による開錠は、図１３に示すごとく、シリンダ本体７６に設けた鍵穴７７にキー（図示せず）を差し込みシリンダ本体７６を回動すると、該シリンダ本体の軸心方向と遠心方向に設けたシリンダ枝部７８が、前記ロック軸６７の第２作動枝部７１に当接して回動させることにより、ロック軸６７のロック枝部６９が回動して操作片４７をアンロックさせることができる。このシリンダ錠７５を作動させるキーは、自分のキーまたはＴＳＡ鍵の両方のキーで開錠可能に形成してある。したがって、アメリカ運輸局の保安基準をクリアすることもできる。
【符号の説明】
【００４４】
１    旅行かばん
２    かばん本体
３    スライドファスナー
４    スライダー
５    引手片
７    かばん蓋体
１０  施錠装置
１１  ケース本体
１２  引手片ロック錠
１５  雄軸部
１６  ガイド部
１７  首部
１８  押圧頭部
２０  ケース蓋体
２１  係止溝部
２２  挿通口
２３  収容室
２５  表示窓部
２６  拡大鏡
３０  雌受部
３１  可動片
３２  ロック部
３３  斜面部
３４  鍔部
３５  可動軸部
３７  ばね
４０  可動筒
４３  ばね
４７  操作片
４８  操作部
４９  操作軸部
５０  突起
５３  ガイド軸部
５５  ダイヤル錠
５７  ダイヤル円盤
５８  カム円盤
５９  切欠部
６１  スライド板
６２  係止爪部
６８  ロック軸
７５  シリンダ錠
【図１】
0003194062.tif 000003
【図２】
0003194062.tif 000004
【図３】
0003194062.tif 000005
【図４】
0003194062.tif 000006
【図５】
0003194062.tif 000007
【図６】
0003194062.tif 000008
【図７】
0003194062.tif 000009
【図８】
0003194062.tif 000010
【図９】
0003194062.tif 000011
【図１０】
0003194062.tif 000012
【図１１】
0003194062.tif 000013
【図１２】
0003194062.tif 000014
【図１３】
0003194062.tif 000015